(57)【要約】      （修正有）【課題】多ポート型の光アダプタの発熱を抑えることのできる光アダプタを提供する。【解決手段】光アダプタ１０は、ハウジング１１と、複数のポート１２−１〜４と、シャッタ部材１３−１〜４とを備える。複数のポートは、ハウジングの内部に並列に設けられ、両端に光コネクタ１４−１〜４がそれぞれ挿入される。シャッタ部材は、各ポートの一端又は両端に設けられる。シャッタ部材は、各ポートの一端への光コネクタの挿入時に、各ポートの他端に挿入された光コネクタからの出射光を遮断しない退避位置に倒れる。シャッタ部材は、各ポートの一端からの光コネクタの抜去時に、退避位置から出射光を遮断する遮断位置まで起き上がり、遮断位置において、出射光を隣り合うポート間で異なるハウジングの面に反射する。【選択図】図１
2017134118.tif 000002
【特許請求の範囲】
【請求項１】
両端の面にそれぞれ複数の開口が設けられたハウジングと、
前記ハウジングの内部であって前記開口の間に並列に設けられ、前記開口に光コネクタがそれぞれ挿入される複数のポートと、
各前記ポートに設けられ、各前記ポートの一端の開口に前記光コネクタが挿入された時に、各前記ポートの他端の開口に挿入された前記光コネクタからの出射光を通過させる退避位置に倒れ、各前記ポートの一端の開口から前記光コネクタが抜かれた時に、前記退避位置から前記出射光を遮断する遮断位置まで起き上がり、前記遮断位置において、前記出射光を他のポートとは異なる前記ハウジングの面に反射するシャッタ部材と
を備えることを特徴とする光アダプタ。
【請求項２】
前記シャッタ部材は、前記遮断位置において、前記出射光を前記ハウジングの下面又は上面に反射することを特徴とする請求項１に記載の光アダプタ。
【請求項３】
前記複数のポートのうち最も外側に位置するポートの一端に設けられた前記シャッタ部材は、前記遮断位置において、前記出射光を前記ハウジングの側面に反射することを特徴とする請求項１又は２に記載の光アダプタ。
【請求項４】
前記遮断位置まで起き上がった前記シャッタ部材の傾斜角が、隣り合う前記ポート間で異なることを特徴とする請求項１〜３のいずれか一つに記載の光アダプタ。
【請求項５】
前記シャッタ部材は、光拡散面を含み、前記遮断位置において、前記出射光を前記光拡散面によって拡散させ、拡散された前記出射光を前記他のポートとは異なる前記ハウジングの面に反射することを特徴とする請求項１〜４のいずれか一つに記載の光アダプタ。
【請求項６】
前記ハウジングの周囲を覆い、前記ハウジングよりも熱伝導率が高いカバー部材をさらに備えることを特徴とする請求項１〜５のいずれか一つに記載の光アダプタ。
【請求項７】
前記ハウジングは、前記開口とは異なる他の開口を有し、
前記遮断位置まで起き上がった前記シャッタ部材は、前記ハウジングの前記他の開口を介して、前記カバー部材に接触することを特徴とする請求項６に記載の光アダプタ。
【請求項８】
前記シャッタ部材は、各前記ポートの両端に設けられ、前記遮断位置において前記出射光を前記他のポートとは異なる前記ハウジングの面であって、各前記ポートの両端間で異なる前記ハウジングの面に反射することを特徴とする請求項１〜７のいずれか一つに記載の光アダプタ。
【発明の詳細な説明】
【技術分野】
【０００１】
本発明は、光アダプタに関する。
【背景技術】
【０００２】
従来、光伝送装置内で光コネクタどうしを接続するためのインターフェース部品として、両端に光コネクタがそれぞれ挿入されるポートを有する光アダプタが用いられている。光アダプタでは、ポートの一端からの光コネクタの抜去時に、ポートの他端に挿入された光コネクタからの出射光が外部へ漏れることが想定される。光アダプタからの出射光の漏れは、光アダプタの使用者の安全を阻害する。
【０００３】
そこで、出射光の漏れを回避するための対策として、光コネクタの挿抜に応じて開閉するシャッタ部材をポートの一端又は両端に設けた光アダプタが開発されている。このような光アダプタでは、ポートの一端への光コネクタの挿入時に、シャッタ部材が、ポートの他端に挿入された光コネクタからの出射光を遮断しない退避位置に倒れる。そして、ポートの一端からの光コネクタの抜去時に、シャッタ部材が、退避位置から出射光を遮断する遮断位置まで起き上がり、遮断された出射光を光アダプタのハウジングの所定面に反射する。これにより、光コネクタの抜去時に光アダプタからの出射光の漏れが回避される。
【先行技術文献】
【特許文献】
【０００４】
【特許文献１】特開２００４−９４１０９号公報
【発明の概要】
【発明が解決しようとする課題】
【０００５】
ところで、近年の光伝送装置内の高密度化に伴い、１つのハウジング内に複数のポートが設けられた多ポート型の光アダプタが開発されている。多ポート型の光アダプタにシャッタ部材が適用される場合、各ポートの一端又は両端にシャッタ部材を設けることが想定される。
【０００６】
図１９は、多ポート型の光アダプタの構成例を示す図である。図１９に示す多ポート型の光アダプタ１００は、ハウジング１１０の内部に並列に設けられた複数のポート１２０（ポート１２０−１〜１２０−４）を有する。なお、以下では、ポート１２０−１〜１２０−４を特に区別しない場合、ポート１２０−１〜１２０−４を総称してポート１２０と呼ぶことがある。シャッタ部材１３０−１〜１３０−４等の他の構成要素についても同様に総称することがある。各ポート１２０の一端には、シャッタ部材１３０が設けられている。各ポート１２０の他端には、光コネクタ１４０が挿入されている。このような状況において、シャッタ部材１３０は、各ポート１２０の一端からの光コネクタ１４０の抜去時に、退避位置から、光コネクタ１４０からの出射光を遮断する遮断位置まで起き上がる。そして、シャッタ部材１３０は、遮断された出射光を、全てのポート１２０−１〜１２０−４間で共通するハウジング１１０の面、すなわち、ハウジング１１０の下面１１０ａに反射する。
【０００７】
しかしながら、シャッタ部材１３０で反射された出射光が全てハウジング１１０の下面１１０ａに向かうと、出射光の照射に伴って下面１１０ａのみが集中的に加熱されるので、光アダプタ１００自体が発熱してしまう。
【０００８】
このように、多ポート型の光アダプタでは、シャッタ部材が出射光を全てのポート間で共通するハウジングの面に反射すると、光アダプタの発熱量が増大してしまう。近年では、多ポート型の光アダプタにおけるポートの数がますます増加する傾向にあり、ポートの数の増大に伴って、光アダプタの発熱量がますます増大することが懸念される。光アダプタの発熱量が増大すると、光アダプタのハウジングが溶融してしまうことがある。
【０００９】
開示の技術は、上記に鑑みてなされたものであって、多ポート型の光アダプタの発熱を抑えることができる光アダプタを提供することを目的とする。
【課題を解決するための手段】
【００１０】
本願の開示する光アダプタは、一つの態様において、ハウジングと、複数のポートと、シャッタ部材とを備える。前記複数のポートは、前記ハウジングの内部に並列に設けられ、両端に光コネクタがそれぞれ挿入される。前記シャッタ部材は、各前記ポートの一端又は両端に設けられる。前記シャッタ部材は、各前記ポートの一端への前記光コネクタの挿入時に、各前記ポートの他端に挿入された前記光コネクタからの出射光を遮断しない退避位置に倒れる。前記シャッタ部材は、各前記ポートの一端からの前記光コネクタの抜去時に、前記退避位置から前記出射光を遮断する遮断位置まで起き上がり、前記遮断位置において、前記出射光を隣り合う前記ポート間で異なる前記ハウジングの面に反射する。
【発明の効果】
【００１１】
本願の開示する光アダプタの一つの態様によれば、多ポート型の光アダプタの発熱を抑えることができるという効果を奏する。
【図面の簡単な説明】
【００１２】
【図１】図１は、実施例１の光アダプタの構成例を示す図である。
【図２】図２は、図１のＡ−Ａ矢視断面図である。
【図３】図３は、図１のＢ−Ｂ矢視断面図である。
【図４】図４は、実施例２の光アダプタの構成例を示す図である。
【図５】図５は、実施例３の光アダプタの構成例を示す図である。
【図６】図６は、図５のＡ−Ａ矢視断面図である。
【図７】図７は、図５のＢ−Ｂ矢視断面図である。
【図８】図８は、図５のＣ−Ｃ矢視断面図である。
【図９】図９は、図５のＤ−Ｄ矢視断面図である。
【図１０】図１０は、実施例４の光アダプタの構成例を示す図である。
【図１１】図１１は、図１０のＡ−Ａ矢視断面図（その１）である。
【図１２】図１２は、図１０のＡ−Ａ矢視断面図（その２）である。
【図１３】図１３は、実施例５の光アダプタの構成例を示す図である。
【図１４】図１４は、実施例６におけるカバー部材の構成例を示す側断面図である。
【図１５】図１５は、実施例７の光アダプタの構成例を示す図である。
【図１６】図１６は、実施例７の光アダプタの使用状態の説明に供する図である。
【図１７】図１７は、実施例７の光アダプタの使用状態の説明に供する図である。
【図１８】図１８は、実施例７の光アダプタの使用状態の説明に供する図である。
【図１９】図１９は、多ポート型の光アダプタの構成例を示す図である。
【発明を実施するための形態】
【００１３】
以下に、本願の開示する光アダプタの実施例を図面に基づいて詳細に説明する。なお、この実施例により開示技術が限定されるものではない。また、実施例において同一の機能を有する構成には同一の符号を付し、重複する説明は省略される。
【実施例１】
【００１４】
図１は、実施例１の光アダプタの構成例を示す図である。図１において、光アダプタ１０は、多ポート型の光アダプタであり、ハウジング１１と、複数のポート１２（ポート１２−１〜１２−４）とを有する。ハウジング１１は、例えば、樹脂製である。ハウジング１１は、下面１１ａ、上面１１ｂ及び２つの側面１１ｃを有する。
【００１５】
複数のポート１２（ポート１２−１〜１２−４）は、ハウジング１１の内部に並列に設けられている。ここでは、ポート１２の数を４個としているが、ポート１２の数はこれに限定されるものではない。ポート１２−１〜１２−４のそれぞれの両端には、光コネクタ１４−１〜１４−４がそれぞれ挿入される。図１の例では、ポート１２−１〜１２−４のそれぞれの一端に光コネクタ１４−１〜１４−４が挿入されず、且つ、ポート１２−１〜１２−４のそれぞれの他端に光コネクタ１４−１〜１４−４が挿入されている様子を示している。なお、以下では、ポート１２−１〜１２−４を特に区別しない場合、ポート１２−１〜１２−４を総称してポート１２と呼ぶことがある。他の構成要素についても同じように総称することがある。
【００１６】
また、光アダプタ１０は、シャッタ部材１３−１〜１３−４を有する。シャッタ部材１３−１〜１３−４のそれぞれは、各ポート１２の一端に設けられている。シャッタ部材１３は、例えば、弾性を有する板状部材である。シャッタ部材１３は、各ポート１２の一端への光コネクタ１４の挿入時に、光コネクタ１４による押圧に伴って、「退避位置」に倒れる。ここで、「退避位置」とは、各ポート１２の他端に挿入された光コネクタ１４から出射される光（以下「出射光」と呼ぶことがある）を遮断しない位置である。シャッタ部材１３が「退避位置」に倒れることによって、各ポート１２の一端に挿入された光コネクタ１４と、各ポート１２の他端に挿入された光コネクタ１４とが光学的に結合される。一方、シャッタ部材１３は、各ポート１２の一端からの光コネクタ１４の抜去時に、シャッタ部材１３の弾性によって「退避位置」から「遮断位置」まで起き上がる。ここで、「遮断位置」とは、「出射光」を遮断する位置である。
【００１７】
また、シャッタ部材１３は、「遮断位置」において、「出射光」を隣り合う２つのポート１２間で異なるハウジング１１の面に反射する。具体的には、シャッタ部材１３は、「遮断位置」において、「出射光」をハウジング１１の下面１１ａ又は上面１１ｂに反射する。言い換えると、シャッタ部材１３は、「遮断位置」まで起き上がったシャッタ部材１３の「出射光」に対する反射面が、隣り合う２つのポート１２間で異なるハウジング１１の面に対向する状態で、各ポート１２の一端に設けられている。これにより、シャッタ部材１３で反射された「出射光」によって照射されるハウジング１１の面が分散されるので、ハウジング１１の１つの面のみが集中的に加熱されることがない。その結果として、多ポート型の光アダプタ１０の発熱を抑えることができる。
【００１８】
図２は、図１のＡ−Ａ矢視断面図であり、図３は、図１のＢ−Ｂ矢視断面図である。図２及び図３では、シャッタ部材１３が、各ポート１２の一端からの光コネクタ１４の抜去時に、「退避位置」から「遮断位置」まで起き上がった状態を示している。また、図２及び図３において、破線の矢印は、各ポート１２の他端に挿入された光コネクタ１４から出射される「出射光」の光路を示している。
【００１９】
図２に示すように、ポート１２−１に設けられたシャッタ部材１３−１は、「遮断位置」において、「出射光」をハウジング１１の下面１１ａに反射する。これに対して、図３に示すように、ポート１２−２に設けられたシャッタ部材１３−２は、「遮断位置」において、「出射光」をハウジング１１の上面１１ｂに反射する。
【００２０】
このように、シャッタ部材１３−１及びシャッタ部材１３−２は、「遮断位置」において、「出射光」を隣り合う２つのポート１２−１及びポート１２−２間で異なるハウジング１１の面に反射する。
【００２１】
以上のように本実施例によれば、光アダプタ１０は、ハウジング１１の内部に並列に設けられた複数のポート１２と、各ポート１２の一端に設けられるシャッタ部材１３とを有する。シャッタ部材１３は、各ポート１２の一端からの光コネクタ１４の抜去時に、「遮断位置」において、各ポート１２の他端に挿入された光コネクタ１４からの「出射光」を隣り合うポート１２間で異なるハウジング１１の面に反射する。
【００２２】
この光アダプタ１０の構成により、シャッタ部材１３で反射された「出射光」によって照射されるハウジング１１の面が分散されるので、ハウジング１１の１つの面のみが集中的に加熱されることがない。その結果として、多ポート型の光アダプタ１０の発熱を抑えることができる。
【００２３】
また、シャッタ部材１３は、「遮断位置」において、「出射光」をハウジング１１の下面１１ａ又は上面１１ｂに反射する。
【００２４】
この光アダプタ１０の構成により、シャッタ部材１３で反射された「出射光」によって照射されるハウジング１１の面が下面１１ａ及び上面１１ｂに分散されるので、ハウジング１１の１つの面のみが集中的に加熱されることがない。その結果として、多ポート型の光アダプタ１０の下面１１ａ及び上面１１ｂにおける発熱を抑えることができる。
【実施例２】
【００２５】
実施例２は、実施例１のシャッタ部材のバリエーションに関する。
【００２６】
図４は、実施例２の光アダプタの構成例を示す図である。図４に示すように、実施例２の光アダプタ１０は、シャッタ部材２３−１〜２３−４を有する。シャッタ部材２３は、「遮断位置」において、「出射光」を隣り合う２つのポート１２間で異なるハウジング１１の面に反射する。具体的には、複数のポート１２のうち最も外側に位置するポート１２の一端に設けられたシャッタ部材２３−１，２３−４は、「遮断位置」において、「出射光」をハウジング１１の側面１１ｃに反射する。また、シャッタ部材２３−１とシャッタ部材２３−４との間に位置するシャッタ部材２３−２，２３−３は、「遮断位置」において、「出射光」をハウジング１１の下面１１ａ又は上面１１ｂに反射する。
【００２７】
以上のように本実施例によれば、複数のポート１２のうち最も外側に位置するポート１２の一端に設けられたシャッタ部材２３−１，２３−４は、「遮断位置」において、「出射光」をハウジング１１の側面１１ｃに反射する。
【００２８】
この光アダプタ１０の構成により、シャッタ部材２３で反射された「出射光」によって照射されるハウジング１１の面が下面１１ａ、上面１１ｂ及び側面１１ｃに分散されるので、ハウジング１１の１つの面のみが集中的に加熱されることがない。その結果として、多ポート型の光アダプタ１０の下面１１ａ及び上面１１ｂにおける発熱をより抑えることができる。
【実施例３】
【００２９】
実施例３は、実施例１のシャッタ部材のバリエーションに関する。
【００３０】
図５は、実施例３の光アダプタの構成例を示す図である。図５に示すように、実施例３の光アダプタ１０は、シャッタ部材３３−１〜３３−４を有する。本実施例では、「遮断位置」まで起き上がったシャッタ部材３３の傾斜角が、隣り合うポート１２間で異なる。この状態で、シャッタ部材３３は、「遮断位置」において、「出射光」を隣り合う２つのポート１２間で異なるハウジング１１の面に反射する。これにより、シャッタ部材３３で反射された「出射光」によって照射されるハウジング１１の面が分散され、且つ、各面における照射位置がハウジング１１の長手方向に沿ってずれるので、ハウジング１１の１つの面のみが集中的に加熱されることがない。その結果として、多ポート型の光アダプタ１０の発熱をより抑えることができる。
【００３１】
図６は、図５のＡ−Ａ矢視断面図であり、図７は、図５のＢ−Ｂ矢視断面図であり、図８は、図５のＣ−Ｃ矢視断面図であり、図９は、図５のＤ−Ｄ矢視断面図である。図６〜図９では、シャッタ部材３３が、各ポート１２の一端からの光コネクタ１４の抜去時に、「退避位置」から「遮断位置」まで起き上がった状態を示している。また、図６〜図９において、破線の矢印は、各ポート１２の他端に挿入された光コネクタ１４から出射される「出射光」の光路を示している。
【００３２】
図６に示すように、ポート１２−１に設けられたシャッタ部材３３−１の、ハウジング１１の下面１１ａに対する傾斜角は、７０°であり、シャッタ部材３３−１は、「出射光」をハウジング１１の下面１１ａに反射する。これに対して、図７に示すように、ポート１２−２に設けられたシャッタ部材３３−２の、ハウジング１１の上面１１ｂに対する傾斜角は、４５°であり、シャッタ部材３３−２は、「出射光」をハウジング１１の上面１１ｂに反射する。これにより、シャッタ部材３３で反射された「出射光」によって照射されるハウジング１１の面が下面１１ａ及び上面１１ｂに分散され、且つ、各面における照射位置がハウジング１１の長手方向に沿ってずれる。
【００３３】
また、図８に示すように、ポート１２−３に設けられたシャッタ部材３３−３の、ハウジング１１の下面１１ａに対する傾斜角は、４５°であり、シャッタ部材３３−３は、「出射光」をハウジング１１の下面１１ａに反射する。これに対して、図９に示すように、ポート１２−４に設けられたシャッタ部材３３−４の、ハウジング１１の上面１１ｂに対する傾斜角は、７０°であり、シャッタ部材３３−４は、「出射光」をハウジング１１の上面１１ｂに反射する。これにより、シャッタ部材３３で反射された「出射光」によって照射されるハウジング１１の面が下面１１ａ及び上面１１ｂに分散され、且つ、各面における照射位置がハウジング１１の長手方向に沿ってずれる。
【００３４】
以上のように本実施例によれば、「遮断位置」まで起き上がったシャッタ部材３３の傾斜角が、隣り合うポート１２間で異なる。
【００３５】
この光アダプタ１０の構成により、シャッタ部材３３で反射された「出射光」によって照射されるハウジング１１の面が分散され、且つ、各面における照射位置がハウジング１１の長手方向に沿ってずれるので、ハウジング１１の１つの面のみが集中的に加熱されることがない。その結果として、多ポート型の光アダプタ１０の発熱をより抑えることができる。
【実施例４】
【００３６】
実施例４は、実施例１のシャッタ部材のバリエーションに関する。
【００３７】
図１０は、実施例４の光アダプタの構成例を示す図である。図１０に示すように、実施例４の光アダプタ１０は、シャッタ部材４３−１〜４３−４を有する。シャッタ部材４３は、「光拡散面」を含み、「遮断位置」において、「出射光」を「光拡散面」によって拡散させ、拡散された「出射光」を隣り合うポート１２間で異なるハウジング１１の面に反射する。ここで、「光拡散面」は、入力される光を拡散する面であり、例えば、凹凸を含む面である。「光拡散面」は、例えば、シャッタ部材４３の「出射光」に対する反射面にエンボス加工を施すことによって、形成される。また、「光拡散面」は、シャッタ部材４３に曲げ加工を施すことによって、形成されても良い。
【００３８】
図１１は、図１０のＡ−Ａ矢視断面図（その１）である。図１１では、シャッタ部材４３−１が、ポート１２−１の一端からの光コネクタ１４−１の抜去時に、「退避位置」から「遮断位置」まで起き上がった状態を示している。また、図１１において、破線の矢印は、ポート１２−１の他端に挿入された光コネクタ１４−１から出射される「出射光」の光路を示している。
【００３９】
図１１に示すように、ポート１２−１に設けられたシャッタ部材４３−１は、エンボス加工によって形成された「光拡散面」を含む。シャッタ部材４３−１は、「遮断位置」において、「出射光」を「光拡散面」によって拡散させ、拡散された「出射光」をハウジング１１の下面１１ａに反射する。
【００４０】
図１２は、図１０のＡ−Ａ矢視断面図（その２）である。図１２では、シャッタ部材４３−１が、ポート１２−１の一端からの光コネクタ１４−１の抜去時に、「退避位置」から「遮断位置」まで起き上がった状態を示している。また、図１２において、破線の矢印は、ポート１２−１の他端に挿入された光コネクタ１４−１から出射される「出射光」の光路を示している。
【００４１】
図１２に示すように、ポート１２−１に設けられたシャッタ部材４３−１は、曲げ加工によって形成された「光拡散面」を含む。シャッタ部材４３−１は、「遮断位置」において、「出射光」を「光拡散面」によって拡散させ、拡散された「出射光」をハウジング１１の下面１１ａに反射する。
【００４２】
以上のように本実施例によれば、シャッタ部材４３は、「光拡散面」を含み、「遮断位置」において、「出射光」を「光拡散面」によって拡散させ、拡散された「出射光」を隣り合うポート１２間で異なるハウジング１１の面に反射する。
【００４３】
この光アダプタ１０の構成により、シャッタ部材４３で反射された「出射光」によって照射されるハウジング１１の面が分散され、且つ、各面における照射部分が拡がるので、局所的な加熱が抑えられる。その結果として、多ポート型の光アダプタ１０の発熱をより抑えることができる。
【実施例５】
【００４４】
実施例５の光アダプタ１０は、カバー部材によってハウジング１１の周囲が覆われる点が実施例１の光アダプタ１０とは異なる。
【００４５】
図１３は、実施例５の光アダプタの構成例を示す図である。図１３に示すように、実施例５の光アダプタ１０は、カバー部材５１を有する。カバー部材５１は、ハウジング１１の周囲を覆い、ハウジング１１よりも熱伝導率が高い。カバー部材５１は、例えば、アルミニウム等の金属製である。
【００４６】
以上のように本実施例によれば、光アダプタ１０は、ハウジング１１の周囲を覆い、ハウジング１１よりも熱伝導率が高いカバー部材５１を有する。
【００４７】
この光アダプタ１０の構成により、カバー部材５１によってハウジング１１の周囲が覆われるので、ハウジング１１で発せられた熱をカバー部材５１を経由して外部に放熱することができる。その結果として、多ポート型の光アダプタ１０の発熱をより抑えることができる。
【実施例６】
【００４８】
実施例６の光アダプタ１０は、「遮断位置」まで起き上がったシャッタ部材１３がカバー部材５１に接触する点が実施例５の光アダプタ１０とは異なる。
【００４９】
実施例６の光アダプタ１０の構成は、実施例５と同様であるため、その説明を省略する。
【００５０】
図１４は、実施例６におけるカバー部材の構成例を示す側断面図である。図１４において、図１３と同じ部分には同じ符号を付す。
【００５１】
図１４に示すように、実施例６の光アダプタ１０において、ハウジング１１は、開口１１ｄを有する。そして、「遮断位置」まで起き上がったシャッタ部材１３−１は、ハウジング１１の開口１１ｄを介して、カバー部材５１に接触する。なお、図示を省略するが、ハウジング１１は、他の開口を有し、他のシャッタ部材１３（シャッタ部材１３−２〜１３−４）は、ハウジング１１の他の開口を介して、カバー部材５１に接触する。
【００５２】
以上のように本実施例によれば、「遮断位置」まで起き上がったシャッタ部材１３は、ハウジング１１の開口を介して、カバー部材５１に接触する。
【００５３】
この光アダプタ１０の構成により、シャッタ部材１３で発せられた熱をカバー部材５１を経由して外部に放熱することができる。その結果として、多ポート型の光アダプタ１０の発熱をより抑えることができる。
【実施例７】
【００５４】
実施例１の光アダプタ１０では、シャッタ部材１３が各ポート１２の一端に設けられる。これに対して、実施例７の光アダプタ１０では、シャッタ部材１３が各ポート１２の両端に設けられる。
【００５５】
図１５は、実施例７の光アダプタの構成例を示す図である。図１５に示すように、光アダプタ１０において、シャッタ部材１３−１〜１３−４のそれぞれは、各ポート１２の両端に設けられている。シャッタ部材１３は、「遮断位置」において、「出射光」を隣り合うポート１２間で異なるハウジング１１の面であって、各ポート１２の両端間で異なるハウジング１１の面に反射する。なお、以下の説明では、シャッタ部材１３が「出射光」をハウジング１１の下面１１ａに反射する場合、シャッタ部材１３の色が黒色で表されるものとする。また、シャッタ部材１３が「出射光」をハウジング１１の上面１１ｂに反射する場合、シャッタ部材１３の色が白色で表されるものとする。
【００５６】
図１６〜図１８は、実施例７の光アダプタの使用状態の説明に供する図である。図１６〜図１８では、説明の便宜を図るため、各ポート１２の両端のうち、図中の下側に位置する端部を「一端」と呼び、図中の上側に位置する端部を「他端」と呼ぶ。
【００５７】
図１６の例は、ポート１２−１，１２−３の一端に光コネクタ１４−１，１４−３がそれぞれ挿入され、且つ、ポート１２−２，１２−４の他端に光コネクタ１４−２，１４−４がそれぞれ挿入されているケース（以下「ケースＣ１」と呼ぶ）を示している。ケースＣ１では、ポート１２−１の他端に設けられたシャッタ部材１３−１は、光コネクタ１４−１からの「出射光」をハウジング１１の上面１１ｂに反射する。また、ポート１２−２の一端に設けられたシャッタ部材１３−２は、光コネクタ１４−２からの「出射光」をハウジング１１の上面１１ｂに反射する。また、ポート１２−３の他端に設けられたシャッタ部材１３−３は、光コネクタ１４−３からの「出射光」をハウジング１１の上面１１ｂに反射する。また、ポート１２−４の一端に設けられたシャッタ部材１３−４は、光コネクタ１４−４からの「出射光」をハウジング１１の上面１１ｂに反射する。ケースＣ１では、シャッタ部材１３で反射された「出射光」によって照射されるハウジング１１の面が同一の面（つまり、上面１１ｂ）であるが、照射位置どうしが物理的に離れているので、ハウジング１１の１つの面のみが過剰に加熱されることがない。
【００５８】
図１７の例は、ポート１２−１，１２−３の他端に光コネクタ１４−１，１４−３がそれぞれ挿入され、且つ、ポート１２−２，１２−４の一端に光コネクタ１４−２，１４−４がそれぞれ挿入されているケース（以下「ケースＣ２」と呼ぶ）を示している。ケースＣ２では、ポート１２−１の一端に設けられたシャッタ部材１３−１は、光コネクタ１４−１からの「出射光」をハウジング１１の下面１１ａに反射する。また、ポート１２−２の他端に設けられたシャッタ部材１３−２は、光コネクタ１４−２からの「出射光」をハウジング１１の下面１１ａに反射する。また、ポート１２−３の一端に設けられたシャッタ部材１３−３は、光コネクタ１４−３からの「出射光」をハウジング１１の下面１１ａに反射する。また、ポート１２−４の他端に設けられたシャッタ部材１３−４は、光コネクタ１４−４からの「出射光」をハウジング１１の下面１１ａに反射する。ケースＣ２では、シャッタ部材１３で反射された「出射光」によって照射されるハウジング１１の面が同一の面（つまり、下面１１ａ）であるが、照射位置どうしが物理的に離れているので、ハウジング１１の１つの面のみが過剰に加熱されることがない。
【００５９】
図１８の例は、ポート１２−１〜１２−４の他端に光コネクタ１４−１〜１４−４がそれぞれ挿入されているケース（以下「ケースＣ３」と呼ぶ）を示している。ケースＣ３では、ポート１２−１の一端に設けられたシャッタ部材１３−１は、光コネクタ１４−１からの「出射光」をハウジング１１の下面１１ａに反射する。また、ポート１２−２の一端に設けられたシャッタ部材１３−２は、光コネクタ１４−２からの「出射光」をハウジング１１の上面１１ｂに反射する。また、ポート１２−３の一端に設けられたシャッタ部材１３−３は、光コネクタ１４−３からの「出射光」をハウジング１１の下面１１ａに反射する。また、ポート１２−４の一端に設けられたシャッタ部材１３−４は、光コネクタ１４−４からの「出射光」をハウジング１１の上面１１ｂに反射する。ケースＣ３では、シャッタ部材１３で反射された「出射光」によって照射されるハウジング１１の面が分散されるので、ハウジング１１の１つの面のみが集中的に加熱されることがない。
【００６０】
以上のように本実施例によれば、シャッタ部材１３は、各ポート１２の両端に設けられる。シャッタ部材１３は、「遮断位置」において、「出射光」を隣り合うポート１２間で異なるハウジング１１の面であって、各ポート１２の両端間で異なるハウジング１１の面に反射する。
【００６１】
この光アダプタ１０の構成により、各ポート１２の両端のうちどちらが入力端又は出力端に割り当てられた場合であっても、ハウジング１１の１つの面のみが集中的に加熱されることがない。その結果として、設計の自由度を確保しつつ、多ポート型の光アダプタ１０の発熱を抑えることができる。
【００６２】
なお、上記説明では、個々の実施例毎に個別の構成、及び動作を説明した。しかしながら、上記各実施例に係る光アダプタ１０は、他の実施例に特有の構成要素を併せて有するものとしてもよい。また、実施例の組合せについても、２つに限らず、３つ以上の組合せ等、任意の形態を採ることが可能である。例えば、上記実施例２に係る光アダプタ１０が、実施例５に係るカバー部材５１を有するものとしてもよい。さらに、１つの光アダプタ１０が、両立可能な範囲内で、上記実施例１〜７において説明した全ての構成要素を併有するものとしてもよい。
【符号の説明】
【００６３】
１０  光アダプタ
１１  ハウジング
１１ａ  下面
１１ｂ  上面
１１ｃ  側面
１１ｄ  開口
１２  ポート
１３，２３，３３，４３  シャッタ部材
１４  光コネクタ
５１  カバー部材
【図１】
2017134118.tif 000003
【図２】
2017134118.tif 000004
【図３】
2017134118.tif 000005
【図４】
2017134118.tif 000006
【図５】
2017134118.tif 000007
【図６】
2017134118.tif 000008
【図７】
2017134118.tif 000009
【図８】
2017134118.tif 000010
【図９】
2017134118.tif 000011
【図１０】
2017134118.tif 000012
【図１１】
2017134118.tif 000013
【図１２】
2017134118.tif 000014
【図１３】
2017134118.tif 000015
【図１４】
2017134118.tif 000016
【図１５】
2017134118.tif 000017
【図１６】
2017134118.tif 000018
【図１７】
2017134118.tif 000019
【図１８】
2017134118.tif 000020
【図１９】
2017134118.tif 000021